(57)【要約】 【課題】  バックライトモジュールと高いマッチング特性を具え、バックライトモジュールに高い飽和度と光線透過率を持たせると同時に、好ましい色度の均等性を具えさせる蛍光粉体光学フィルムを得るためのバックライトモジュールに適用する蛍光粉体光学フィルムの選別方法及びバックライトモジュールを提供する。【解決手段】  選別方法は、蛍光粉体光学フィルムを未だ組み合わせていないバックライトモジュール内を複数の測定領域に区分けし、かつそれぞれの該測定領域の光線透過スペクトルを得るステップと、それぞれの該測定領域内の蛍光粉体光学フィルムを組み合わせた後の色度値を得るステップと、前記第２のステップで得た、それぞれの測定領域内の蛍光粉体光学フィルムを組み合わせた後の色度値が標準色度の範囲内にあるか判断するステップを含み、かつ  それぞれの該測定領域の蛍光粉体光学フィルムを組み合わせた後の色度値が標準色度の範囲内にあれば、バックライトモジュールに応用する蛍光粉体光学フィルムの選別が完成し、蛍光粉体光学フィルムを組み合わせた後の少なくとも一つの該測定領域の色度値が標準色度の範囲から外れていれば、当該測定領域に新しい蛍光粉体光学フィルムを組み合わせて前記第２のステップに戻る。【選択図】 図２
2016537682.tif 000002
【特許請求の範囲】
【請求項１】
ａ）のステップにおいて、蛍光粉体光学フィルムを未だ組み合わせていないバックライトモジュール内を複数の測定領域に区分けし、かつそれぞれの該測定領域の光線透過スペクトルを得て、
ｂ）のステップにおいて、それぞれの該測定領域内の蛍光粉体光学フィルムを組み合わせた後の色度値を得て、
ｃ）のステップにおいて、ｂ）のステップで得た、それぞれの測定領域内の蛍光粉体光学フィルムを組み合わせた後の色度値が標準色度の範囲内にあるか判断し、
それぞれの該測定領域の蛍光粉体光学フィルムを組み合わせた後の色度値が標準色度の範囲内にあれば、バックライトモジュールに応用する蛍光粉体光学フィルムの選別が完成し、
蛍光粉体光学フィルムを組み合わせた後の少なくとも一つの該測定領域の色度値が標準色度の範囲から外れていれば、当該測定領域に新しい蛍光粉体光学フィルムを組み合わせ（ｂのステップに戻ること、を特徴とする、バックライトモジュールに適用する蛍光粉体光学フィルムの選別方法。
【請求項２】
前記ｂ）のステップが、それぞれの測定領域に組み合わせる蛍光粉体光学フィルムの光線透過スペクトルを得るｂ１）のステップと、
それぞれの測定領域に蛍光粉体光学フィルムを組み合わせた後の光線透過スペクトルを得るｂ２）のステップと、
ｂ２）のステップで得た該光線透過スペクトルに基づいて、それぞれの該測定領域の蛍光粉体光学フィルムを組み合わせた後の色度値を得るｂ３）のステップと、をさらに含むことを特徴とする請求項１に記載のバックライトモジュールに適用する蛍光粉体光学フィルムの選別方法。
【請求項３】
前記測定領域のそれぞれに組み合わせる蛍光粉体光学フィルムが、それぞれ異なる作成パラメータを有することを特徴とする請求項１に記載のバックライトモジュールに適用する蛍光粉体光学フィルムの選別方法。
【請求項４】
前記測定領域のそれぞれに組み合わせる蛍光粉体光学フィルムが、それぞれ異なる作成パラメータを有することを特徴とする請求項２に記載のバックライトモジュールに適用する蛍光粉体光学フィルムの選別方法。
【請求項５】
前記蛍光粉体光学フィルムが量子ドットフィルムであることを特徴とする請求項１に記載のバックライトモジュールに適用する蛍光粉体光学フィルムの選別方法。
【請求項６】
前記蛍光粉体光学フィルムが量子ドットフィルムであることを特徴とする請求項２に記載のバックライトモジュールに適用する蛍光粉体光学フィルムの選別方法。
【請求項７】
前記蛍光粉体光学フィルムが量子ドットフィルムであることを特徴とする請求項３に記載のバックライトモジュールに適用する蛍光粉体光学フィルムの選別方法。
【請求項８】
前記蛍光粉体光学フィルムが量子ドットフィルムであることを特徴とする請求項４に記載のバックライトモジュールに適用する蛍光粉体光学フィルムの選別方法。
【請求項９】
ａ）のステップにおいて、蛍光粉体光学フィルムを未だ組み合わせていないバックライトモジュール内を複数の測定領域に区分けし、かつそれぞれの該測定領域の光線透過スペクトルを得て、
ｂ）のステップにおいて、正の整数である第ｎ個の該蛍光粉体光学フィルムの光線透過スペクトルを得て、
ｃ）のステップにおいて、正の整数である第ｍ個の該測定領域の第ｎ個の該蛍光粉体光学フィルムを組み合わせた後の光線透過スペクトルを得て、
ｄ）のステップにおいて、ｃ）のステップにおいて得た光線透過スペクトルに基づき。第ｍ個の該測定領域の第ｎ個の該蛍光粉体光学フィルムを組み合わせた後の色度値を得て、
ｅ）のステップにおいて、ｄ）のステップで得た第ｍ個の該測定領域の第ｎ個の該蛍光粉体光学フィルムを組み合わせた後の色度値が標準色度の範囲内にあるか判断し、
仮に第ｍ個の該測定領域の第ｎ個の該蛍光粉体光学フィルムを組み合わせた後の色度値が標準色度の範囲から外れていればｂ）のステップに戻り、かつｂ）のステップのｎをｎ＝ｎ＋１にし、
仮に第ｍ個の該測定領域の第ｎ個の該蛍光粉体光学フィルムを組み合わせた後の色度値が標準色度の範囲内であれば、ｃ）のステップに戻り、かつｃ）のステップにおけるｍをｍ＝ｍ＋１にすること、を特徴とするバックライトモジュールに適用する蛍光粉体光学フィルムの選別方法。
【請求項１０】
前記蛍光粉体光学フィルムが量子ドットフィルムであることを特徴とする請求項９に記載のバックライトモジュールに適用する蛍光粉体光学フィルムの選別方法。
【請求項１１】
前記蛍光粉体光学フィルムが、それぞれ異なる作成パラメータを有することを特徴とする請求項９に記載のバックライトモジュールに適用する蛍光粉体光学フィルムの選別方法。
【請求項１２】
前記蛍光粉体光学フィルムが、それぞれ異なる作成パラメータを有することを特徴とする請求項１０に記載のバックライトモジュールに適用する蛍光粉体光学フィルムの選別方法。
【請求項１３】
光源と導光板とを含んでなり、該光導板が光入射面と出光面とを含んでなり、該光源は該光入射面に近接した位置に設け、かつ前記請求項１、もしくは前記請求項９に記載する選別方法で選別した蛍光粉体光学フィルムを具えるとともに、該蛍光粉体光学フィルムが該出光面上に設けられることを特徴とするバックライトモジュール。
【請求項１４】
前記蛍光粉体光学フィルムが量子ドットフィルムであることを特徴とする請求項１３に記載のバックライトモジュール。
【請求項１５】
前記蛍光粉体光学フィルムがプリントか、スプレー塗布によって該出光面上に設けられることを特徴とする請求項１３に記載のバックライトモジュール。
【請求項１６】
前記蛍光粉体光学フィルムがプリントか、スプレー塗布によって該出光面上に設けられることを特徴とする請求項１４に記載のバックライトモジュール。
【発明の詳細な説明】
【技術分野】
【０００１】
この発明は、液晶表示技術に関し、特にバックライトモジュールに応用する蛍光粉体光学フィルムの選別方法及びバックライトモジュールに関する。
【背景技術】
【０００２】
液晶表示装置は、装置自体が薄く、節電効果を有し、低輻射で、かつ画面が柔和で、目を刺激することがないなどの多くの長所を有する。このため、ますます広く応用されている。液晶表示装置は、主に液晶パネルと、バックライトモジュールとを含んでなる。バックライトモジュールは液晶パネルに対向して設けられ、かつバックライトモジュールは液晶パネルに光線を提供する光源となる。よって、液晶パネルは、バックライトモジュールの提供する光線によって画像を画面に表示する。
【０００３】
目下、バックライトモジュールは。主に直下型とエッジ型のバックライトモジュールに分けられている。但し、直下型であろうと、エッジ型であろうと、バックライトモジュールは光源を核心とし、その特性はバックライトモジュールの表示効果を決定する。例えば、バックライトモジュールの輝度、色度、飽和度（ＮＴＳＣ）等である。バックライトモジュールの輝度は、光源を調整する光束、光源の数量、光源の駆動方式、及びバックライトモジュールに使用する光学フィルムの構成を調整することで、その調節を進行させる。バックライトモジュールの色度は、光源のスペクトル、光学部材の光線透過スペクトル、カラーフィルムスペクトル（Ｃｏｌｏｒ Ｆｉｌｔｅｒ Ｓｐｅｃｔｒｕｍ）を配合して調整し、標準の色度を得る。バックライトモジュールの飽和度は、付加的な基準であって、主に高品質機種（即ち、高品質液晶表示装置）と低品質機種（即ち、低品質液晶表示装置）とを区別するために用いる。よく見かける低品質機種のバックライトモジュールの飽和度の基準は、約６２％から７０％である。高品質機種のバックライトモジュールは７５％を超える飽和度を必要とする。この他、バックライトモジュールの色度の均等性もまた、液晶表示装置の人の目に与える視覚的感覚を高める。例えば低品質機種には０.０１０を下回る色差が要求される。
【０００４】
図１は、従来の技術によるエッジ型のバックライトモジュールであって、飽和度を高めることができる構造を示した説明図である。図面に開示するように、エッジ型のバックライトモジュールは、導光板１０と、導光板１０の光入射面に近接した位置に設けた光源２０と、及び導光板１０の出光面上の蛍光粉体光学フィルム３０とを含んでなる。光源２０は青色光線の発光ダイオード（ＬＥＤ）を採用し、蛍光粉体光学フィルム３０によって光源２０が照射する一部の青色光線を赤色、緑色光線に変換し、変換されない部分の青色光線と変換された赤色、緑色光線を混合して白色光線を合成し、バックライトモジュールのバックライト光源とする。白色ＬＥＤをバックライトモジュールの光源とするバックライト光源に比して図１に開示するバックライトモジュールは、液晶表示パネル内のカラーフィルタ（Ｃｏｌｏｒ Ｆｉｌｔｅｒ）との組み合わせを最も好ましいものとして高い飽和度と光線透過率を実現することができる。然しながら導光板に採用する材質（通常はアクリル樹脂（ＰＭＭＡ）、ＭＳなど）、及び導光板上に存在する網点によって、導光板の青色光線の吸収が顕著になり、このため導光板から離れる方向に沿って色度が徐々に高くなる。係る現象はバックライトモジュール内の色度の均等性に深刻な影響を与える。
【発明の概要】
【発明が解決しようとする課題】
【０００５】
バックライトモジュールと高いマッチング特性を具え、バックライトモジュールに高い飽和度と光線透過率を持たせると同時に、好ましい色度の均等性を具えさせる蛍光粉体光学フィルムを得るためのバックライトモジュールに適用する蛍光粉体光学フィルムの選別方法及びバックライトモジュールを提供することを課題とする。
【課題を解決するための手段】
【０００６】
そこで、本発明者は従来の技術に見られる欠点に鑑み鋭意研究を重ねた結果、蛍光粉体光学フィルムを未だ組み合わせていないバックライトモジュール内を複数の測定領域に区分けし、かつそれぞれの該測定領域の光線透過スペクトルを得るステップと、
それぞれの該測定領域内の蛍光粉体光学フィルムを組み合わせた後の色度値を得るステップと、
前記第２のステップで得た、それぞれの測定領域内の蛍光粉体光学フィルムを組み合わせた後の色度値が標準色度の範囲内にあるか判断し、
それぞれの該測定領域の蛍光粉体光学フィルムを組み合わせた後の色度値が標準色度の範囲内にあれば、バックライトモジュールに応用する蛍光粉体光学フィルムの選別が完成し、
蛍光粉体光学フィルムを組み合わせた後の少なくとも一つの該測定領域の色度値が標準色度の範囲から外れていれば、当該測定領域に新しい蛍光粉体光学フィルムを組み合わせて前記第２のステップに戻る、バックライトモジュールに適用する蛍光粉体光学フィルムの選別方法、及びそのバックライトモジュールによって課題を解決でできる点に着眼し、係る知見に基づいて本発明を完成させた。
【０００７】
以下この発明について説明する。請求項１に記載するバックライトモジュールに適用する蛍光粉体光学フィルムの選別方法は、ａ）のステップにおいて、蛍光粉体光学フィルムを未だ組み合わせていないバックライトモジュール内を複数の測定領域に区分けし、かつそれぞれの該測定領域の光線透過スペクトルを得て、
ｂ）のステップにおいて、それぞれの該測定領域内の蛍光粉体光学フィルムを組み合わせた後の色度値を得て、
ｃ）のステップにおいて、ｂ）のステップで得た、それぞれの測定領域内の蛍光粉体光学フィルムを組み合わせた後の色度値が標準色度の範囲内にあるか判断し、
それぞれの該測定領域の蛍光粉体光学フィルムを組み合わせた後の色度値が標準色度の範囲内にあれば、バックライトモジュールに応用する蛍光粉体光学フィルムの選別が完成し、
蛍光粉体光学フィルムを組み合わせた後の少なくとも一つの該測定領域の色度値が標準色度の範囲から外れていれば、当該測定領域に新しい蛍光粉体光学フィルムを組み合わせ（ｂのステップに戻る。
【０００８】
請求項２に記載するバックライトモジュールに適用する蛍光粉体光学フィルムの選別方法は、請求項１におけるｂ）のステップが、さらにそれぞれの測定領域に組み合わせる蛍光粉体光学フィルムの光線透過スペクトルを得るｂ１）のステップと、
それぞれの測定領域に蛍光粉体光学フィルムを組み合わせた後の光線透過スペクトルを得るｂ２）のステップと、
ｂ２）のステップで得た該光線透過スペクトルに基づいて、それぞれの該測定領域の蛍光粉体光学フィルムを組み合わせた後の色度値を得るｂ３）のステップと、をさらに含む。
【０００９】
請求項３に記載するバックライトモジュールに適用する蛍光粉体光学フィルムの選別方法は、請求項１における測定領域のそれぞれに組み合わせる蛍光粉体光学フィルムが、それぞれ異なる作成パラメータを有する。
【００１０】
請求項４に記載するバックライトモジュールに適用する蛍光粉体光学フィルムの選別方法は、請求項２における測定領域のそれぞれに組み合わせる蛍光粉体光学フィルムが、それぞれ異なる作成パラメータを有する。
【００１１】
請求項５に記載するバックライトモジュールに適用する蛍光粉体光学フィルムの選別方法は、請求項１における蛍光粉体光学フィルムが量子ドットフィルムである。
【００１２】
請求項６に記載するバックライトモジュールに適用する蛍光粉体光学フィルムの選別方法は、請求項２ｂにおける蛍光粉体光学フィルムが量子ドットフィルムである。
【００１３】
請求項７に記載するバックライトモジュールに適用する蛍光粉体光学フィルムの選別方法は、請求項３における蛍光粉体光学フィルムが量子ドットフィルムである。
【００１４】
請求項８に記載するバックライトモジュールに適用する蛍光粉体光学フィルムの選別方法は、請求項４における蛍光粉体光学フィルムが量子ドットフィルムである。
【００１５】
請求項９に記載するバックライトモジュールに適用する蛍光粉体光学フィルムの選別方法は、ａ）のステップにおいて、蛍光粉体光学フィルムを未だ組み合わせていないバックライトモジュール内を複数の測定領域に区分けし、かつそれぞれの該測定領域の光線透過スペクトルを得て、
ｂ）のステップにおいて、正の整数である第ｎ個の該蛍光粉体光学フィルムの光線透過スペクトルを得て、
ｃ）のステップにおいて、正の整数である第ｍ個の該測定領域の第ｎ個の該蛍光粉体光学フィルムを組み合わせた後の光線透過スペクトルを得て、
ｄ）のステップにおいて、ｃ）のステップにおいて得た光線透過スペクトルに基づき。第ｍ個の該測定領域の第ｎ個の該蛍光粉体光学フィルムを組み合わせた後の色度値を得て、
ｅ）のステップにおいて、ｄ）のステップで得た第ｍ個の該測定領域の第ｎ個の該蛍光粉体光学フィルムを組み合わせた後の色度値が標準色度の範囲内にあるか判断し、
仮に第ｍ個の該測定領域の第ｎ個の該蛍光粉体光学フィルムを組み合わせた後の色度値が標準色度の範囲から外れていればｂ）のステップに戻り、かつｂ）のステップのｎをｎ＝ｎ＋１にし、
仮に第ｍ個の該測定領域の第ｎ個の該蛍光粉体光学フィルムを組み合わせた後の色度値が標準色度の範囲内であれば、ｃ）のステップに戻り、かつｃ）のステップ３におけるｍをｍ＝ｍ＋１にする。
【００１６】
請求項１０に記載するバックライトモジュールに適用する蛍光粉体光学フィルムの選別方法は、請求項９における蛍光粉体光学フィルムが量子ドットフィルムである。
【００１７】
請求項１１に記載するバックライトモジュールに適用する蛍光粉体光学フィルムの選別方法は、請求項９における蛍光粉体光学フィルムが、それぞれ異なる作成パラメータを有する。
【００１８】
請求項１２に記載するバックライトモジュールに適用する蛍光粉体光学フィルムの選別方法は、請求項１０における蛍光粉体光学フィルムが、それぞれ異なる作成パラメータを有する。
【００１９】
請求項１３に記載するバックライトモジュールは、光源と導光板とを含んでなり、該光導板が光入射面と出光面とを含んでなり、該光源は該光入射面に近接した位置に設け、かつ請求項１、もしくは請求項９に記載する選別方法で選別した蛍光粉体光学フィルムを具えるとともに、該蛍光粉体光学フィルムが該出光面上に設けられる。
【００２０】
請求項１４に記載するバックライトモジュールは、請求項１３における蛍光粉体光学フィルムが量子ドットフィルムである。
【００２１】
請求項１５に記載するバックライトモジュールは、請求項１２における蛍光粉体光学フィルムがプリントか、スプレー塗布によって該出光面上に設けられる。
【００２２】
請求項１６に記載するバックライトモジュールは、請求項１４における蛍光粉体光学フィルムがプリントか、スプレー塗布によって該出光面上に設けられる。
【図面の簡単な説明】
【００２３】
【図１】従来の技術によつバックライトモジュールの構造を示した説明図である
【図２】実施例１の蛍光粉体光学フィルムの選別方法を示したフローチャートである。
【図３】この発明におけるバックライトモジュールの測定領域を示した説明図である。
【図４】実施例２の蛍光粉体光学フィルムの選別方法を示したフローチャートである。
【図５】この発明によるバックライトモジュールの構造を示した説明図である
【発明を実施するための形態】
【００２４】
この発明は、バックライトモジュールと高いマッチング特性を具え、バックライトモジュールに高い飽和度と光線透過率を持たせると同時に、好ましい色度の均等性を具えさせる蛍光粉体光学フィルムを得るためのバックライトモジュールに適用する蛍光粉体光学フィルムの選別方法及びバックライトモジュールを提供するものであって、その選別方法は、蛍光粉体光学フィルムを未だ組み合わせていないバックライトモジュール内を複数の測定領域に区分けし、かつそれぞれの該測定領域の光線透過スペクトルを得るステップと、
それぞれの該測定領域内の蛍光粉体光学フィルムを組み合わせた後の色度値を得るステップと、
前記第２のステップで得た、それぞれの測定領域内の蛍光粉体光学フィルムを組み合わせた後の色度値が標準色度の範囲内にあるか判断するステップを含み、かつ  それぞれの該測定領域の蛍光粉体光学フィルムを組み合わせた後の色度値が標準色度の範囲内にあれば、バックライトモジュールに応用する蛍光粉体光学フィルムの選別が完成し、
蛍光粉体光学フィルムを組み合わせた後の少なくとも一つの該測定領域の色度値が標準色度の範囲から外れていれば、当該測定領域に新しい蛍光粉体光学フィルムを組み合わせて前記第２のステップに戻る。係る蛍光粉体光学フィルムの選別方法と、及びそのバックライトモジュールの特徴を説明するために、具体的な実施例を挙げ、図面を参照にして以下に詳述する。
【実施例１】
【００２５】
図２は、この発明の実施例１に係るバックライトモジュールの蛍光粉体光学フィルムの選別方法を示したフローチャートである。
【００２６】
図２に開示するように、実施例１における選別方法は次のステップを含む。
【００２７】
Ｓ１のステップにおいて、蛍光粉体光学フィルムを未だ組み合わせていないバックライトモジュール内を複数の測定領域に区分けし、かつそれぞれの測定領域の光線透過スペクトルを得る。このステップにおける複数の測定領域は、バックライトモジュールの一方の側から他方の側に向かって順に第１測定領域Ａ１、第２測定領域Ａ２…、第ｍ測定領域Ａｍと、複数の測定領域を区分けする。但し、この発明におけるバックライトモジュール内の測定領域の区分けは、図３に開示する形態に限ることはない。実施例において光線透過スペクトルとは、可視光線バンド内にあるそれぞれの波長に対応する光線透過率を指す。また、光学測定装置（例えば分光放射輝度計、ヘーズメーターなど）を用いて蛍光粉体光学フィルムと組み合わせていないバックライトモジュール内の複数の測定領域の色度値を測定してデータを収集し、蛍光粉体光学フィルムと組み合わせていないバックライトモジュール内の複数の測定領域のカラーマトリクスを形成する。該カラーマトリクスは、測定領域の色度を含み、該カラーマトリクスからバックライトモジュール内のそれぞれの測定領域の色度値の差異が分かり、かつそれぞれの測定領域の色度値が標準色度の範囲にあるかが分かる。標準色度の範囲については、以下に説明する。
【００２８】
次に、Ｓ２のステップにおいて、それぞれの測定領域内の蛍光粉体光学フィルムを組み合わせた後の色度値を測定する。
【００２９】
次に、Ｓ３のステップにおいて、Ｓ２のステップで得た、それぞれの測定領域内の蛍光粉体光学フィルムを組み合わせた後の色度値が標準色度の範囲内にあるか判断する。実施例における標準色度とは、標準色度±色度公差を指す。実際にはバックライトモジュールには異なるサイズのものがあることから、標準色度範囲は異なるサイズのバックライトによって、それぞれ異なったものとなる。
【００３０】
Ｓ３のステップにおいて、仮にそれぞれの測定領域の蛍光粉体光学フィルムを組み合わせた後の色度値が標準色度の範囲内にあれば、バックライトモジュールに応用する蛍光粉体光学フィルムの選別が完成したことになる。ここにおいて説明すべきは、バックライトモジュール内のそれぞれの測定領域には、いずれも色度値に差異があるという点である。このため、それぞれの測定領域に組み合わせる蛍光粉体光学フィル作成のパラメータ（例えば蛍光粉体の成分、比例、濃度など）もそれぞれ異なったものとなる。したがって、選別した、それぞれの測定領域に対応する蛍光粉体光学フィルムのパラメータに基づいて作成した蛍光粉体光学フィルムについて言えば、当該バックライトモジュールに適用する蛍光粉体光学フィルムのそれぞれの領域の作成パラメータが異なったものになり、これら領域がそれぞれの測定領域に対応して組み合わせられる。仮に、蛍光粉体光学フィルムを組み合わせた後の少なくとも一つの測定領域の色度値が標準色度の範囲から外れていれば、当該測定領域に新しい蛍光粉体光学フィルムを組み合わせ（この新しい蛍光粉体光学フィルムの有する作成パラメータは、先に当該測定領域に組み合わせた蛍光粉体光学フィルムの作成パラメータと異なる）、かつＳ２のステップに戻る。
【００３１】
Ｓ２は、さらに次に掲げるステップを含む。
【００３２】
Ｓ２１のステップにおいて、それぞれの測定領域に組み合わせる蛍光粉体光学フィルムの光線透過スペクトルを得る。
【００３３】
Ｓ２２のステップにおいて、Ｓ１のステップで得た、それぞれの測定領域の光線透過スペクトルの各波長に対応する光線透過率と、蛍光粉体光学フィルムの光線透過スペクトルの各波長に対応する光線透過率とを乗算して、それぞれの測定領域に蛍光粉体光学フィルムを組み合わせた後の光線透過スペクトルを得る。
【００３４】
Ｓ２３のステップにおいて、Ｓ２２のステップで得たそれぞれの測定領域に組み合わせる光線透過スペクトルに基づいて、蛍光粉体光学フィルムを組み合わせた後のそれぞれの測定領域の色度値を得る。該ステップにおいて、それぞれの測定領域に蛍光粉体光学フィルムを組み合わせた後の光線透過スペクトルの各波長に対応する光線透過率と視覚関数（即ち、異なる波長に対応する明視覚値）とを乗算した後、可視光線バンド内で積分して色の三刺激値を得る。得られた色の三刺激値に基づき、さらに一歩進んでそれぞれの測定領域に蛍光粉体光学フィルムを組み合わせた後の色度値を得る。この実施例においてはＣＩＥ１９３１標準下の色度値を指すが、但し、本発明ではこれに限定しない。その他標準（例えばＣＩＥ１９７６など）下の色度値であってもよい。
【００３５】
また、量子ドットは励起スペクトル幅を具え、かつ連続して分布し、放出スペクトルの狭さと対称的であることから、色を調整することができ、光化学的安定性が高く、蛍光の寿命が長いなどの長所を具える。よって、実施例における蛍光粉体光学フィルムは、量子ドットフィルムを優先させた。
【実施例２】
【００３６】
図４はこの発明の実施例２であって、バックライトモジュールに適用する蛍光粉体光学フィルムの選別方法を示したフローチャートである。
【００３７】
図４に開示するように、この発明の実施例２の選別方法は次に掲げるステップを含む。
【００３８】
Ｓ１のステップにおいて、Ｓ１のステップにおいて、まだ蛍光粉体フィルムを組み合わせていないバックライトモジュール内を複数の測定領域に区分けし、かつそれぞれの測定領域の光線透過スペクトルを得る。このステップにおける複数の測定領域は、バックライトモジュールの一方の側から他方の側に向かって順に第１測定領域Ａ１、第２測定領域Ａ２…、第ｍ測定領域Ａｍと、複数の測定領域を区分けする。但し、この発明におけるバックライトモジュール内の測定領域の区分けは、図３に開示する形態に限ることはない。実施例において光線透過スペクトルとは、可視光線バンド内にあるそれぞれの波長に対応する光線透過率を指す。また、光学測定装置（例えば分光放射輝度計、ヘーズメーターなど）を用いて蛍光粉体光学フィルムと組み合わせていないバックライトモジュール内の複数の測定領域の色度値を測定してデータを収集し、蛍光粉体光学フィルムと組み合わせていないバックライトモジュール内の複数の測定領域のカラーマトリクスを形成する。該カラーマトリクスは、測定領域の色度を含み、該カラーマトリクスからバックライトモジュール内のそれぞれの測定領域の色度値の差異が分かり、かつそれぞれの測定領域の色度値が標準色度の範囲にあるかが分かる。標準色度の範囲については、以下に説明する。
【００３９】
Ｓ２のステップにおいて第ｎ個の蛍光粉体光学フィルムの光線透過スペクトルを得る。ｎは正の整数である。
【００４０】
次に、Ｓ３のステップにおいて、第ｍ個の測定領域の光線透過スペクトルにおけるそれぞれの波長に対応する光線透過率と、第ｎ個の蛍光粉体光学フィルムの光線透過スペクトルにおけるそれぞれの波長に対応する光線透過率とを乗算し、ここから第ｍ測定領域に組み合わせる第ｎ個の蛍光粉体光学フィルムの光線透過スペクトルを得る。ｍは正の整数である。
【００４１】
Ｓ４のステップにおいて、Ｓ３のステップで得た第ｍ個の測定領域に組み合わせる第ｎ個の蛍光粉体光学フィルムの光線透過スペクトルに基づき、第ｍ個の測定領域の第ｎ個の蛍光粉体光学フィルムを組み合わせた後の色度値を得る。該ステップにおいて、第ｍ個の測定領域の第ｎ個の蛍光粉体光学フィルムを組み合わせた後の光線透過スペクトルの各波長に対応する光線透過率と視覚関数（即ち、異なる波長に対応する明視覚値）とを乗算した後、可視光線バンド内で積分して色の三刺激値を得る。得られた色の三刺激値に基づき、さらに一歩進で第ｍ個の測定領域に第ｎ個の蛍光粉体光学フィルムを組み合わせた後の色度値を得る。この実施例においてはＣＩＥ１９３１標準下の色度値を指すが、但し、本発明ではこれに限定しない。その他標準（例えばＣＩＥ１９７６など）下の色度値であってもよい。
【００４２】
Ｓ５のステップにおいて、蛍光粉体光学フィルムを組み合わせた後の色度値が標準色度の範囲内にあるか判断する。実施例における標準色度とは、標準色度±色度公差を指す。実際にはバックライトモジュールには異なるサイズのものがあることから、標準色度範囲は異なるサイズのバックライトによって、それぞれ異なったものとなる。
【００４３】
Ｓ５のステップにおいて、第ｍ個の測定領域の第ｎ個の蛍光粉体光学フィルムを組み合わせた後の色度値が標準色度の範囲から外れていれば、Ｓ２のステップに戻り、かつＳ２のステップのｎをｎ＝ｎ＋１にする。また、ここにおいて説明すべきは、バックライトモジュール内のそれぞれの測定領域には、いずれも色度値に差異があるという点である。このため、それぞれの測定領域に組み合わせる蛍光粉体光学フィル作成のパラメータ（例えば蛍光粉体の成分、比例、濃度など）もそれぞれ異なったものとなる。したがって、選別した、それぞれの測定領域に対応する蛍光粉体光学フィルムのパラメータに基づいて作成した蛍光粉体光学フィルムについて言えば、当該バックライトモジュールに適用する蛍光粉体光学フィルムのそれぞれの領域の作成パラメータが異なったものになり、これら領域がそれぞれの測定領域に対応して組み合わせられる。仮に第ｍ個の測定領域の第ｎ個の蛍光粉体光学フィルムを組み合わせた後の色度値が標準色度の範囲内であれば、Ｓ３のステップに戻り、Ｓ３のステップにおけるｍをｍ＝ｍ＋１にする
【００４４】
また、量子ドットは励起スペクトル幅を具え、かつ連続して分布し、放出スペクトルの狭さと対称的であることから、色を調整することができ、光化学的安定性が高く、蛍光の寿命が長いなどの長所を具える。よって、実施例における蛍光粉体光学フィルムは、量子ドットフィルムを優先させた。
【００４５】
この発明は、上述する実施例１、または実施例２に開示する選別方法を利用して作成した蛍光粉体光学フィルムのバックライトンモジュールをさらに提供する。具体的には、図５に開示するとおりである。
【００４６】
図５に開示するように、バックライトモジュール１００は、光源２００（例えば青色光線発光ダイオード）と、導光板３００とを含んでなる。光導板３００は光入射面３０１と出光面３０２とを含む。光源２００は光入射面３０１に近接した位置に設ける。前述する実施例１、もしくは実施例２に開示する選別方法で選別した蛍光粉体光学フィルム４００は、プリント、又はスプレー塗布などの方式で出光面３０２上に形成する。
【００４７】
量子ドットは励起スペクトル幅を具え、かつ連続して分布し、放出スペクトルの狭さと対称的であることから、色を調整することができ、光化学的安定性が高く、蛍光の寿命が長いなどの長所を具える。よって、実施例における蛍光粉体光学フィルムは、量子ドットフィルムを優先させた。
【００４８】
蛍光粉体光学フィルム４００は、光源２００が照射した光線を最終的に白色光線にすることができる。このため、バックライトモジュールの光源とすることができる。しかも、実施例１、実施例２で述べととおり、蛍光粉体光学フィルム４００は、バックライトモジュールの異なる測定領域（表示領域）にそれぞれ対応する。異なる領域は異なる作成パラメータを有する。このため、蛍光粉体光学フィルム４００はバックライトモジュールと高いマッチング特性を具え、バックライトモジュールに高い飽和度と光線透過率を持たせると同時に、好ましい色度の均等性を具えさせることができる。
【００４９】
好ましい実施の形態として上述のとおり実施例を挙げてこの発明の擬態的な開示、説明をおこなったが、この発明の特許請求の範囲と、この発明の精神を離れない条件下にあって、形式と細部に係る各種変更が可能であることは、当業者の理解するところである。
【符号の説明】
【００５０】
１０         導光板
１００       バックライトモジュール
２０         光源
２００       光源
３０         蛍光粉体光学フィルム
３００       導光板
３０１       光入射面
３０２       出光面
４００       蛍光粉体光学フィルム
【図１】
2016537682.tif 000003
【図２】
2016537682.tif 000004
【図３】
2016537682.tif 000005
【図４】
2016537682.tif 000006
【図５】
2016537682.tif 000007
【国際調査報告】
2016537682.tif 000008
2016537682.tif 000009
2016537682.tif 000010
2016537682.tif 000011